(57)【要約】【課題】集積された媒体を精度良く分離できるようにする。【解決手段】紙幣カセット１７の分離部２５は、フィードローラ３２と第１ゲートローラ５２との間に第１ゲートＧ１を形成すると共に、フィードローラ３２と第２ゲートローラ６２との間に第２ゲートＧ２を形成した。これにより分離部２５は、第１ゲートＧ１において最上面の紙幣ＢＬ１と２枚目の紙幣ＢＬ２との間の摩擦力Ｎ２が大きいために両者を通過させてしまったとしても、２枚目の紙幣ＢＬ２に対し第１ゲートローラ５２により摩擦力Ｎ３を作用させたまま、第２ゲートＧ２において第２ゲートローラ６２によりさらに摩擦力Ｎ４を作用させることができるので、当該第２ゲートＧ２において２枚目の紙幣ＢＬ２の進入を阻止し、最上面の紙幣ＢＬ１のみに分離した状態で搬送することができる。【選択図】図１３
2014189367.tif 000002
【特許請求の範囲】
【請求項１】
紙葉状の媒体が互いの面を向かい合わせて集積された集積媒体を所定の押付方向へ押し付ける押付部と、
上記押付部の押付方向側に設けられ、上記集積媒体における押付方向側の面に対し押付方向と交差する操出方向へ力を加える操出部と、
押付方向及び操出方向と直交する直交方向に沿ったフィード回転軸を中心とする周側部の少なくとも一部に上記媒体に対する摩擦力が高められた高摩擦部が設けられ、上記媒体を搬送すべき搬送路に上記周側部の一部を露出させ、上記フィード回転軸を中心として所定の操出回転方向に回転するフィードローラと、
上記搬送路において、上記フィードローラの上記操出回転方向への回転に伴って当該フィードローラの上記周側部に当接して進行する上記媒体に対し、上記高摩擦部による摩擦力よりも低い第１摩擦力を作用させる第１規制部と、
上記搬送路において、上記フィードローラの上記操出回転方向への回転に伴って当該フィードローラの上記周側部に当接して進行し、上記第１規制部により上記第１摩擦力が作用された後の上記媒体に対し、上記高摩擦部による摩擦力よりも低い第２摩擦力を作用させる第２規制部と
を具えることを特徴とする媒体分離装置。
【請求項２】
上記フィードローラは、
上記フィード回転軸を中心とした角度θの範囲に上記高摩擦部が設けられ、
上記第１規制部及び上記第２規制部は、
上記フィード回転軸を基準としたときに、上記媒体に対し摩擦力を作用させる第１摩擦作用点及び第２摩擦作用点のなす角度φが、上記角度θよりも小さい
ことを特徴とする請求項１に記載の媒体分離装置。
【請求項３】
上記第２規制部は、
上記第２摩擦力が上記第１摩擦力よりも小さい
ことを特徴とする請求項１に記載の媒体分離装置。
【請求項４】
上記第１規制部は、
上記フィード回転軸と平行な第１回転軸を中心とする第１周側部を有し、当該第１周側部の一部を上記搬送路に露出させて上記フィードローラの上記周側部に対向させる
ことを特徴とする請求項１に記載の媒体分離装置。
【請求項５】
上記第１規制部は、
上記フィードローラが上記操出回転方向に回転される際には静止し、上記フィードローラが上記操出回転方向と反対の取込回転方向に回転する際には、上記第１回転軸を中心として上記第１周側部の上記搬送路に露出した部分を上記操出部に近接させる方向に回転する
ことを特徴とする請求項４に記載の媒体分離装置。
【請求項６】
上記フィードローラは、
上記周側部に上記フィード回転軸を中心とした周方向に沿った溝部が形成され、
上記第１規制部は、
上記第１周側部に上記第１回転軸を中心とした周方向に沿った溝部が形成されると共に、上記第１周側部における当該溝部以外の稜部を上記フィードローラの上記溝部と対向させる
ことを特徴とする請求項５に記載の媒体分離装置。
【請求項７】
上記第２規制部は、
上記フィード回転軸と平行な第２回転軸を中心とする第２周側部を有し、当該第２周側部の一部を上記搬送路に露出させて上記フィードローラの上記周側部に対向させる
ことを特徴とする請求項１に記載の媒体分離装置。
【請求項８】
上記第２規制部は、
上記フィードローラが上記操出回転方向に回転される際には静止し、上記フィードローラが上記操出回転方向と反対の取込回転方向に回転する際には、上記第２回転軸を中心として上記第２周側部の上記搬送路に露出した部分を上記操出部に近接させる方向に回転する
ことを特徴とする請求項７に記載の媒体分離装置。
【請求項９】
上記フィードローラは、
上記周側部に上記フィード回転軸を中心とした周方向に沿った溝部が形成され、
上記第２規制部は、
上記第２周側部に上記第２回転軸を中心とした周方向に沿った溝部が形成されると共に、上記第２周側部における当該溝部以外の稜部を上記フィードローラの上記溝部と対向させる
ことを特徴とする請求項８に記載の媒体分離装置。
【請求項１０】
紙葉状の媒体が互いの面を向かい合わせて集積された集積媒体を所定の押付方向へ押し付ける押付部と、
上記押付部の押付方向側に設けられ、上記集積媒体における押付方向側の面に対し押付方向と交差する操出方向へ力を加える操出部と、
押付方向及び操出方向と直交する直交方向に沿ったフィード回転軸を中心とする周側部の少なくとも一部に上記媒体に対する摩擦力が高められた高摩擦部が設けられ、上記媒体を搬送すべき搬送路に上記周側部の一部を露出させ、上記フィード回転軸を中心として所定の操出回転方向に回転するフィードローラと、
上記搬送路において、上記フィードローラの上記操出回転方向への回転に伴って当該フィードローラの上記周側部に当接して進行する上記媒体に対し、上記高摩擦部による摩擦力よりも低い第１摩擦力を作用させる第１規制部と、
上記搬送路において、上記フィードローラの上記操出回転方向への回転に伴って当該フィードローラの上記周側部に当接して進行し、上記第１規制部により上記第１摩擦力が作用された後の上記媒体に対し、上記高摩擦部による摩擦力よりも低い第２摩擦力を作用させる第２規制部と、
上記集積媒体から分離され上記搬送路に沿って搬送された上記媒体を搬送する搬送部と
を具えることを特徴とする媒体処理装置。
【発明の詳細な説明】
【技術分野】
【０００１】
本発明は媒体分離装置及び媒体処理装置に関し、例えば紙幣のような紙葉状の媒体を投入して所望の取引を行う現金自動預払機（ＡＴＭ）等に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。
【０００３】
現金自動預払機としては、例えば顧客との間で紙幣の授受を行う紙幣入出金口と、内部で紙幣を搬送する搬送部と、投入された紙幣の金種、真偽及び正損等を鑑別する鑑別部と、投入された紙幣を一時的に保留する一時保留部と、金種ごとに紙幣を収納する紙幣カセットとを有するものがある。
【０００４】
この現金自動預払機は、出金処理において、顧客の操作指示により出金すべき金額が確定すると、紙幣カセットから出金すべき金額に応じた紙幣を繰り出して搬送部により搬送し、鑑別部により正常な紙幣が過不足なく繰り出されたことを鑑別した後、紙幣入出金口へ搬送して顧客に取り出させる。
【０００５】
この紙幣カセットのなかには、例えば紙幣の紙面を上下に向け集積した状態で内部の集積空間に収納しておき、紙幣を繰り出す際に、集積空間の上側に配置された分離部により、集積された紙幣のうち最上部の紙幣を引き剥がすように分離して１枚ずつ繰り出すものがある（例えば、特許文献１参照）。
【０００６】
例えば図２１、図２２、図２３及び図２４に示すように、従来の分離部３２５は、ステージ２３の上方に設けられており、左右方向に沿って配置されたフィードシャフト３１に２個のフィードローラ３２が所定間隔を空けて貫通されている。
【０００７】
フィードローラ３２は、紙幣ＢＬに対し摩擦係数が比較的小さい材料により構成されている。またフィードローラ３２における外周の一部分には、高摩擦部３２Ｒが設けられている（図２４）。この高摩擦部３２Ｒは、紙幣ＢＬに対する摩擦力が高められている。
【０００８】
フィードローラ３２の前方には、ステージ２３のほぼ真上となる位置に、４個のピッカローラ３７が配置されている。このピッカローラ３７は、フィードローラ３２と同期して回転するようになされている。
【０００９】
ピッカローラ３７における外周の一部分には、他の部分よりも外方へ突出した高摩擦部３７Ｒが設けられている（図２４）。この高摩擦部３７Ｒは、高摩擦部３２Ｒと同様、紙幣ＢＬに対する摩擦力が高められている。
【００１０】
フィードローラ３２の下方には、ゲートローラ５２が設けられている。このゲートローラ５２は、フィードローラ３２との間に紙幣ＢＬ１枚に相当する隙間を形成するよう、その位置が調整されている。以下、この隙間及びその周辺部分をゲートＧ１と呼ぶ。
【００１１】
一方、ステージ２３は、図示しない駆動機構により上下方向へ移動される。またステージ２３は、上面に紙幣ＢＬが集積されることにより、図２５に示すように、集積紙幣ＢＬＳを形成する。
【００１２】
紙幣カセットは、紙幣ＢＬを繰り出す際、ステージ２３を上方へ移動させて集積紙幣ＢＬＳのうち最上面の紙幣ＢＬ１を分離部３２５のピッカローラ３７に当接させる（図２５）と共に、フィードローラ３２及びピッカローラ３７を反時計回りに回転させる一方、ゲートローラ５２を静止させる。
【００１３】
ピッカローラ３７は、最上面の紙幣ＢＬ１に対し後方へ向かう力を作用させ、その先端をゲートＧ１へ進入させる。このとき集積紙幣ＢＬＳの上から２枚目以下の紙幣ＢＬは、隣接する紙幣ＢＬとの間の摩擦力により、最上面の紙幣ＢＬ１に引っ張られるようにして後方へ進行しようとする場合がある。
【００１４】
これに対し分離部３２５のゲートローラ３２は、回転せず静止していることにより、図２６に示すように、集積紙幣ＢＬＳのうち上から２枚目以下の紙幣ＢＬをせき止め、最上面の紙幣ＢＬ１のみをゲートＧ１内へ進入させる。これにより分離部３２５は、集積紙幣ＢＬＳから最上面の紙幣ＢＬ１を１枚ずつに分離することができる。
【先行技術文献】
【特許文献】
【００１５】
【特許文献１】特開２０１２−０７６９１４公報（第１図）
【発明の概要】
【発明が解決しようとする課題】
【００１６】
しかしながら、集積紙幣ＢＬＳにおける紙幣ＢＬ間の摩擦力は、静電気や湿度等の影響、或いは紙幣ＢＬの劣化状態等に応じて様々に変化する。
【００１７】
このため分離部３２５では、例えば図２６と対応する図２７に示すように、ゲートＧ１内に２枚以上の紙幣を進入させてしまい、当該紙幣ＢＬを１枚ずつに分離できない場合がある、という問題があった。
【００１８】
本発明は以上の点を考慮してなされたもので、集積された媒体を精度良く分離し得る媒体分離装置及び媒体処理装置を提案しようとするものである。
【課題を解決するための手段】
【００１９】
かかる課題を解決するため本発明の媒体分離装置においては、紙葉状の媒体が互いの面を向かい合わせて集積された集積媒体を所定の押付方向へ押し付ける押付部と、押付部の押付方向側に設けられ、集積媒体における押付方向側の面に対し押付方向と交差する操出方向へ力を加える操出部と、押付方向及び操出方向と直交する直交方向に沿ったフィード回転軸を中心とする周側部の少なくとも一部に媒体に対する摩擦力が高められた高摩擦部が設けられ、媒体を搬送すべき搬送路に周側部の一部を露出させ、フィード回転軸を中心として所定の操出回転方向に回転するフィードローラと、搬送路において、フィードローラの操出回転方向への回転に伴って当該フィードローラの周側部に当接して進行する媒体に対し、高摩擦部による摩擦力よりも低い第１摩擦力を作用させる第１規制部と、搬送路において、フィードローラの操出回転方向への回転に伴って当該フィードローラの周側部に当接して進行し、第１規制部により第１摩擦力が作用された後の媒体に対し、高摩擦部による摩擦力よりも低い第２摩擦力を作用させる第２規制部とを設けるようにした。
【００２０】
また本発明の媒体処理装置においては、紙葉状の媒体が互いの面を向かい合わせて集積された集積媒体を所定の押付方向へ押し付ける押付部と、押付部の押付方向側に設けられ、集積媒体における押付方向側の面に対し押付方向と交差する操出方向へ力を加える操出部と、押付方向及び操出方向と直交する直交方向に沿ったフィード回転軸を中心とする周側部の少なくとも一部に媒体に対する摩擦力が高められた高摩擦部が設けられ、媒体を搬送すべき搬送路に周側部の一部を露出させ、フィード回転軸を中心として所定の操出回転方向に回転するフィードローラと、搬送路において、フィードローラの操出回転方向への回転に伴って当該フィードローラの周側部に当接して進行する媒体に対し、高摩擦部による摩擦力よりも低い第１摩擦力を作用させる第１規制部と、搬送路において、フィードローラの操出回転方向への回転に伴って当該フィードローラの周側部に当接して進行し、第１規制部により第１摩擦力が作用された後の媒体に対し、高摩擦部による摩擦力よりも低い第２摩擦力を作用させる第２規制部と、集積媒体から分離され搬送路に沿って搬送された媒体を搬送する搬送部とを設けるようにした。
【００２１】
これにより本発明は、集積媒体のうち最上面の媒体及び２枚目の媒体の間の摩擦力が高く、フィードローラの高摩擦部の作用により搬送路に沿って２枚の媒体が重なって搬送されていた場合に、第１規制部と２枚目の媒体との間の第１摩擦力が媒体間の摩擦力よりも弱く両者を分離できなかったとしても、第２規制部により２枚目の媒体に対しさらに第２摩擦力を作用させることにより、両者を分離して最上面の媒体のみを進行させることができる。
【発明の効果】
【００２２】
本発明によれば、集積媒体のうち最上面の媒体及び２枚目の媒体の間の摩擦力が高く、フィードローラの高摩擦部の作用により搬送路に沿って２枚の媒体が重なって搬送されていた場合に、第１規制部と２枚目の媒体との間の第１摩擦力が媒体間の摩擦力よりも弱く両者を分離できなかったとしても、第２規制部により２枚目の媒体に対しさらに第２摩擦力を作用させることにより、両者を分離して最上面の媒体のみを進行させることができる。かくして本発明は、集積された媒体を精度良く分離し得る媒体分離装置及び媒体処理装置を実現できる。
【図面の簡単な説明】
【００２３】
【図１】現金自動預払機の外観構成を示す略線的斜視図である。
【図２】紙幣入出金機の構成を示す略線図である。
【図３】紙幣カセットの構成を示す略線図である。
【図４】第１の実施の形態による分離部の構成を示す略線的斜視図である。
【図５】第１の実施の形態による分離部の構成を示す略線図である。
【図６】第１の実施の形態による分離部の構成を示す略線図である。
【図７】第１の実施の形態による分離部の構成を示す略線図である。
【図８】第１の実施の形態による分離部の構成を示す略線図である。
【図９】分離部による紙幣の放出を示す略線図である。
【図１０】分離部による紙幣の分離を示す略線図である。
【図１１】分離部による紙幣の分離を示す略線図である。
【図１２】分離部による紙幣の分離を示す略線図である。
【図１３】分離部による紙幣の分離を示す略線図である。
【図１４】第２の実施の形態による分離部の構成を示す略線的斜視図である。
【図１５】第２の実施の形態による分離部の構成を示す略線図である。
【図１６】第２の実施の形態による分離部の構成を示す略線図である。
【図１７】第２の実施の形態による分離部の構成を示す略線図である。
【図１８】第２の実施の形態による分離部の構成を示す略線図である。
【図１９】他の実施の形態による分離部の構成を示す略線図である。
【図２０】他の実施の形態による分離部の構成を示す略線図である。
【図２１】従来の分離部の構成を示す略線的斜視図である。
【図２２】従来の分離部の構成を示す略線図である。
【図２３】従来の分離部の構成を示す略線図である。
【図２４】従来の分離部の構成を示す略線図である。
【図２５】従来の分離部による紙幣の分離を示す略線図である。
【図２６】従来の分離部による紙幣の分離を示す略線図である。
【図２７】従来の分離部による紙幣の分離を示す略線図である。
【発明を実施するための形態】
【００２４】
以下、発明を実施するための形態（以下実施の形態とする）について、図面を用いて説明する。
【００２５】
［１．第１の実施の形態］
［１−１．現金自動預払機の全体構成］
図１に外観を示すように、紙葉類処理装置としての現金自動預払機１は、箱状の筐体２を中心に構成されており、例えば金融機関等に設置され、顧客との間で入金取引や出金取引等の現金に関する取引を行うようになされている。
【００２６】
筐体２は、その前側に顧客が対峙した状態で紙幣の投入やタッチパネルによる操作等をしやすい箇所、すなわち前面の上部から上面に渡る部分が一部切り落とされたような形状となっており、この部分に接客部３が設けられている。
【００２７】
接客部３は、顧客との間で現金や通帳等を直接やり取りすると共に、取引に関する情報の通知や操作指示の受付を行うようになされており、カード入出口４、通帳入出口５、紙幣入出金口６、硬貨入出金口７及び表示操作部８が設けられている。
【００２８】
カード入出口４は、キャッシュカード等の各種カードが挿入または排出される部分である。カード入出口４の奥側には、各種カードに磁気記録された口座番号等の読み取りを行うカード処理部（後述する）が設けられている。
【００２９】
通帳入出口５は、通帳が挿入または排出される部分である。通帳入出口５の奥側には、通帳に記録された磁気情報の読み取りや取引内容の印字処理等を行う通帳処理部（後述する）が設けられている。
【００３０】
紙幣入出金口６は、顧客が入金する紙幣が投入されると共に、顧客へ出金する紙幣が排出される部分である。また紙幣入出金口６は、シャッタを駆動することにより開放又は閉塞するようになされている。
【００３１】
硬貨入出金口７は、顧客が入金する硬貨が投入されると共に、顧客へ出金する硬貨が排出される部分である。また硬貨入出金口７は、紙幣入出金口６と同様にシャッタを駆動することにより開放又は閉塞するようになされている。
【００３２】
表示操作部８は、取引に際して操作画面を表示するＬＣＤ（Liquid Crystal Display）と、取引の種類の選択、暗証番号や取引金額等を入力するタッチセンサとが一体化されたタッチパネルとなっている。
【００３３】
以下では、現金自動預払機１のうち顧客が対峙する正面側を前側とし、その反対を後側とし、当該前側に対峙した顧客から見て左及び右をそれぞれ左側及び右側とし、さらに上側及び下側を定義して説明する。
【００３４】
筐体２内には、現金自動預払機１全体を統括制御する主制御部９や、紙幣ＢＬに関する種々の処理を行う紙幣入出金機１０等が設けられている。
【００３５】
主制御部９は、図示しないＣＰＵ（Central Processing Unit）を中心に構成されており、図示しないＲＯＭやフラッシュメモリ等から所定のプログラムを読み出して実行することにより、入金取引や出金取引等の種々の処理を行うようになされている。
【００３６】
また主制御部９は、内部にＲＡＭ（Random Access Memory）、ハードディスクドライブやフラッシュメモリ等でなる記憶部を有しており、この記憶部に種々の情報を記憶させるようになされている。
【００３７】
紙幣入出金機１０は、図２に側面図を示すように、紙幣ＢＬに関する種々の処理を行う複数の部分が組み込まれている。また紙幣入出金機１０の各部分は、紙幣制御部１１により制御されるようになされている。
【００３８】
紙幣制御部１１は、主制御部９と同様、図示しないＣＰＵを中心に構成されており、図示しないＲＯＭやフラッシュメモリ等から所定のプログラムを読み出して実行することにより、紙幣ＢＬの搬送先を決定する処理等、種々の処理を行うようになされている。
【００３９】
紙幣制御部１１は、例えば顧客が紙幣を入金する入金取引を行う場合、表示操作部８（図１）を介して所定の操作入力を受け付けた後、紙幣入出金口６（図１）のシャッタを開いて入出金部１２内へ紙幣を投入させる。
【００４０】
入出金部１２は、収容器１２Ａに紙幣が投入されると、紙幣入出金口６のシャッタを閉じて当該収容器１２Ａから紙幣を１枚ずつ取り出し、搬送部１３へ受け渡す。搬送部１３は、長方形の紙葉状に構成された紙幣を短手方向に沿って進行させ、鑑別部１４へ搬送する。
【００４１】
鑑別部１４は、その内部で紙幣を搬送しながら当該紙幣の金種及び真偽、並びに損傷の程度等を鑑別し、その鑑別結果を紙幣制御部１１へ通知する。これに応じて紙幣制御部１１は、取得した鑑別結果に基づいて当該紙幣の搬送先を決定する。
【００４２】
このとき搬送部１３は、鑑別部１４において正常と鑑別された紙幣（いわゆる正券）を一時保留部１５へ搬送する等して一時的に保留させる一方、取引すべきでないと鑑別された紙幣（いわゆる損券や偽券等）を入出金部１２へ搬送して顧客に返却する。
【００４３】
その後紙幣制御部１１は、表示操作部８を介して顧客に入金金額を確定させ、一時保留部１５に保留している紙幣を搬送部１３により鑑別部１４へ搬送してその金種及び損傷の程度等を鑑別させ、その鑑別結果を取得する。
【００４４】
そして紙幣制御部１１は、紙幣の損傷の程度が大きければ、これを再利用すべきでない紙幣として搬送部１３によりリジェクトカセット１６へ搬送して収納させ、損傷の程度が小さければ、これを再利用すべき紙幣として搬送部１３により搬送させ、その金種に応じた紙幣カセット１７に収納させるようになされている。
【００４５】
また紙幣制御部１１は、例えば顧客が紙幣ＢＬを出金する出金取引を行う場合、表示操作部８（図１）を介して所定の操作入力を受け付けた後、出金すべき金額に応じた紙幣ＢＬを紙幣カセット１７から繰り出させ、搬送部１３により鑑別部１４へ搬送させる。
【００４６】
続いて紙幣制御部１１は、この紙幣ＢＬを鑑別部１４により鑑別させた上で入出金部１２へ搬送し、紙幣入出金口６（図１）のシャッタを開いて顧客に取り出させる。
【００４７】
このように紙幣カセット１７は、搬送部１３により搬送されてきた紙幣ＢＬを内部に取り込んで収納し、また内部から紙幣ＢＬを繰り出して当該搬送部１３へ受け渡すようになされている。
【００４８】
［１−２．紙幣カセットの構成］
紙幣カセット１７は、図３に模式的に示すように、直方体状の筐体２１内に媒体としての紙幣ＢＬを取り込んで集積するようになされている。因みに図３は右側面図を表している。また説明の都合上、一部の部品については透過させ、或いは省略している。
【００４９】
筐体２１は前後、左右及び上下の各側面をほぼ閉塞しており、内部に集積された紙幣ＢＬや各部品等を保護するようになされている。また筐体２１の前側部分には、一様な平板状の前扉２２が設けられている。
【００５０】
筐体２１内には、直方体状の内部空間２１Ｓが形成されている。この内部空間２１Ｓ内には、平板状のステージ２３が設けられている。ステージ２３は、板面をほぼ水平に向けており、内部空間２１Ｓを上下に二分すると共にその上側を集積空間ＣＳとして、当該ステージ２３の上面に紙幣ＢＬを集積して集積媒体としての集積紙幣ＢＬＳとする。
【００５１】
またステージ２３は、図示しないステージ駆動機構により上下方向へ移動されるようになされている。さらにステージ２３の上面における左右の両端からある程度離れた箇所には、中央側が高く左右両端側が低くなるような段差が形成されている。
【００５２】
筐体２１の上側における後ろ寄りの部分には、分離部２５が設けられている。この分離部２５は、放出モード及び分離モードといった２種類の動作モードで動作するようになされている。
【００５３】
放出モードは、搬送部１３により搬送されてきた紙幣ＢＬを紙幣カセット１７内に集積する際に、当該紙幣ＢＬを下方へ搬送して集積空間ＣＳ内へ放出する動作モードである。一方、分離モードは、紙幣カセット１７内の紙幣ＢＬを繰り出して搬送部１３へ受け渡す際に、集積紙幣ＢＬＳから紙幣ＢＬを１枚ずつに分離して上方へ搬送する動作モードである。
【００５４】
例えば紙幣カセット１７は、内部に紙幣ＢＬを収納する際、分離部２５を放出モードで動作させる。このとき分離部２５は、搬送部１３から搬送されてきた紙幣ＢＬを搬送路Ｗに沿って下方ないし前方へ搬送し、集積空間ＣＳの後面側における上端近傍から前方へ向けて紙幣ＢＬを放出する。
【００５５】
集積空間ＣＳの前面側における上端近傍、すなわち前扉２２の後面における上寄りの箇所には、図示しない弾性体を介してビルストッパ２６が設けられている。ビルストッパ２６は、小さな直方体状に形成されており、分離部２５から放出された紙幣ＢＬが衝突すると、弾性体の作用により当該紙幣ＢＬの衝撃を吸収し、僅かに後方へ押し戻す。
【００５６】
その後紙幣ＢＬは、図示しない羽根車により下方へ叩き落とされ、ステージ２３の上又は当該ステージ２３上に載置された集積紙幣ＢＬＳの上に積み重ねられる。
【００５７】
また紙幣カセット１７は、内部の紙幣ＢＬを繰り出す際、ステージ２３を上方へ移動させて集積紙幣ＢＬＳを集積空間ＣＳの天井面に押し付けると共に、分離部２５を分離モードで動作させる。このとき分離部２５は、集積紙幣ＢＬＳから最上面の紙幣ＢＬを１枚ずつに順次分離し、これを搬送路Ｗに沿って後方ないし上方へ搬送して、搬送部１３に受け渡す。
【００５８】
このように紙幣カセット１７は、分離部２５を放出モード又は分離モードで動作させることにより、紙幣ＢＬの集積及び分離を行うようになされている。
【００５９】
［１−３．分離部の構成］
次に、分離部２５の構成について図４、図５、図６、図７及び図８を参照して説明する。因みに図４は右後方の上側から見た斜視図であり、図５は背面図であり、図６は平面図であり、図７は下面図であり、図８は右側面図である。
【００６０】
分離部２５は、フィードシャフト３１を中心に構成されている。フィードシャフト３１は、細長い円柱状に構成されており、中心軸を左右方向に向けている。フィードシャフト３１には、３個のフィードローラ３２Ａ、３２Ｂ及び３２Ｃが貫通されている。
【００６１】
フィードローラ３２Ｃは、フィードシャフト３１のほぼ中心に位置している。またフィードローラ３２Ａ及び３２Ｂは、それぞれフィードローラ３２Ｃの右側及び左側に位置しており、それぞれ当該フィードローラ３２Ｃとの間に所定の間隔を空けている。
【００６２】
なおフィードローラ３２Ａ、３２Ｂ及び３２Ｃは、いずれも同様に構成されている。説明の都合上、以下ではこのフィードローラ３２Ａ、３２Ｂ及び３２Ｃをまとめてフィードローラ３２と呼ぶ。
【００６３】
フィードローラ３２は、フィードシャフト３１と比較して左右方向に短く径が大きな円柱状に形成されている。フィードローラ３２の周側面は、図５、図６及び図７に示すように、周方向に沿った２本の溝部３２Ｘが形成されており、残された部分が３本の稜部３２Ｙとなっている。
【００６４】
またフィードローラ３２は、摩擦係数が比較的小さい樹脂材料により構成されると共に、稜部３２Ｙの表面が滑らかに仕上げられており、紙幣ＢＬに対して殆ど摩擦力を発生させず、容易に滑るようになされている。
【００６５】
さらにフィードローラ３２は、図８に示すように、稜部３２Ｙにおける外周部分の一部に、詳細にはフィードシャフト３１及びフィードローラ３２の中心点Ｐ３から見て角度θの範囲に、高摩擦部３２Ｒが設けられている。
【００６６】
高摩擦部３２Ｒは、例えばゴムのような摩擦係数が比較的大きい材料により構成されており、フィードローラ３２における他の部分よりも紙幣ＢＬに対する摩擦力が高められている。
【００６７】
またフィードシャフト３１には、フィードローラ３２Ａの右側及びフィードローラ３２Ｂの左側に、サブフィードローラ３３がそれぞれ貫通されている。各サブフィードローラ３３は、フィードローラ３２とほぼ同等の半径を有し軸方向の長さが当該フィードローラ３２よりも短い扁平な円柱状に構成されている。
【００６８】
このサブフィードローラ３３は、紙幣ＢＬに対し比較的広い面積で当接することにより、当該紙幣ＢＬに対し比較的大きな駆動力を伝達し、これにより当該紙幣ＢＬを搬送する。
【００６９】
さらにフィードシャフト３１には、左右のサブフィードローラ３３の外方に、プーリ３４が貫通されている。プーリ３４は、フィードシャフト３１よりも僅かに半径が大きい、比較的小さな円柱状に形成されている。
【００７０】
またフィードシャフト３１は、図示しないアクチュエータからの駆動力が伝達されることにより、フィードローラ３２（３２Ａ、３２Ｂ及び３２Ｃ）、２個のサブフィードローラ３３並びに２個のプーリ３４と一体に回転する。このときフィードシャフト３１は、上述した放出モードでは図８における矢印Ｒ１方向、すなわち時計回りに回転され、分離モードでは矢印Ｒ２方向、すなわち反時計回りに回転される。
【００７１】
さらにフィードシャフト３１には、左右それぞれにブラケット３５が挿通されている。ブラケット３５は、左右方向に細長く前後に薄い板状部材の中央部分を残して左右部分がそれぞれ後方に折り曲げられたような形状となっており、この折り曲げられた部分の後端近傍に挿通孔が穿設されている。
【００７２】
ブラケット３５の挿通孔は、フィードシャフト３１におけるフィードローラ３２の内側及びプーリ３４の外側の２カ所において挿通されている。因みに左右のブラケット３５は、フィードシャフト３１に対し自在に回動できるように、すなわち前側部分を上下に変位させ得るようになされている。
【００７３】
また各ブラケット３５は、フィードシャフト３１の前方に、左右方向に沿った中心軸を有するピッカシャフト３６を回転可能に支持している。各ピッカシャフト３６には、それぞれ２個のピッカローラ３７が所定の間隔を空けて貫通されている。ピッカローラ３７は、フィードローラ３２と同様、紙幣ＢＬに対し摩擦係数が比較的小さい材料により構成されている。
【００７４】
ピッカローラ３７における外周の一部分には、他の部分よりも外方へ突出した高摩擦部３７Ｒが設けられている（図８）。この高摩擦部３７Ｒは、フィードローラ３２の高摩擦部３２Ｒと同様、例えばゴムのような摩擦力が比較的高い材料により構成されており、ピッカローラ３７における他の部分よりも紙幣ＢＬに対する摩擦力が高められている。
【００７５】
またピッカシャフト３６におけるプーリ３４の前方となる箇所には、プーリ３４と同一の外径でなるプーリ３８が貫通されている。このプーリ３８及びプーリ３４の間には、ベルト３９が掛け渡されている。このベルト３９は、フィードシャフト３１と一体であるプーリ３４の回転に伴って走行し、プーリ３８及びピッカシャフト３６を回転させる。これによりピッカローラ３７は、フィードローラ３２及びサブフィードローラ３３と同期して回転することができる。
【００７６】
ブラケット３５の下方には、板状のピッカガイド４０が設けられている。ピッカガイド４０は、ピッカローラ３７と対応する４箇所に孔部４０Ｈが穿設されており、この孔部からピッカローラ３７の一部を下方へ露出させている。
【００７７】
フィードシャフト３１の下方には、左右方向に沿った中心軸を有する第１ゲートシャフト５１が配置されている。この第１ゲートシャフト５１は、フィードシャフト３１と同程度の外径でなり、且つ軸方向（すなわち左右方向）の長さが当該フィードシャフト３１よりも短く、右側のフィードローラ３２Ａにおける右端から左側のフィードローラ３２Ｂにおける左端までの距離と同程度となっている。
【００７８】
また第１ゲートシャフト５１は、図示しない支持部材により支持されると共に、図８における反時計方向（矢印Ｒ２方向）のみ回転し、その反対方向（矢印Ｒ１方向）へは回転しない、いわゆるワンウェイクラッチが組み込まれている。
【００７９】
第１ゲートシャフト５１におけるフィードローラ３２Ａ及び３２Ｂとそれぞれ対向する箇所には、第１ゲートローラ５２Ａ及び５２Ｂがそれぞれ貫通されている。なお、第１ゲートローラ５２Ａ及び５２Ｂは、いずれも同様に構成されている。説明の都合上、以下ではこの第１ゲートローラ５２Ａ及び５２Ｂをまとめて第１ゲートローラ５２と呼ぶ。
【００８０】
第１ゲートローラ５２は、フィードローラ３２よりも径が小さく軸方向（すなわち左右方向）の長さが短い円柱状に形成されている。また第１ゲートローラ５２は、フィードローラ３２の高摩擦部３２Ｒよりも摩擦力が低い樹脂材料又はゴム材料により構成されている。
【００８１】
第１ゲートローラ５２の周側面は、図５に示すように、周方向に沿った１本の溝部５２Ｘが形成されており、残された部分が２本の稜部５２Ｙとなっている。
【００８２】
第１ゲートローラ５２は、２本の稜部５２Ｙをフィードローラ３２における２本の溝部３２Ｘとそれぞれ対向させる（図５）と共に、稜部５２Ｙの先端（すなわち中心点Ｐ３に最も近い部分）を当該溝部３２Ｘ内に僅かに入り込ませている。これに伴い、フィードローラ３２における中央の稜部３２Ｙは、その先端を第１ゲートローラ５２の溝部５２Ｘに僅かに入り込ませている。換言すれば、分離部２５は、左右方向から見た場合に、第１ゲートローラ５２の外周円とフィードローラ３２の外周円とを一部オーバーラップさせている（図８）。
【００８３】
これによりフィードローラ３２及び第１ゲートローラ５２の間には、左右方向に沿ってフィードローラ３２側及び第１ゲートローラ５２側に交互に蛇行するような隙間が形成される。以下、フィードローラ３２及び第１ゲートローラ５２のうちこの隙間の周辺部分を第１ゲートＧ１と呼ぶ。
【００８４】
またフィードシャフト３１の後下方には、左右方向に沿った中心軸を有する第２ゲートシャフト６１が配置されている。この第２ゲートシャフト６１は、フィードシャフト３１及び第１ゲートシャフト５１と同程度の外径でなり、且つ軸方向（すなわち左右方向）の長さが当該第１ゲートシャフト５１よりも短く、中央のフィードローラ３２Ｃと同程度となっている。
【００８５】
また第２ゲートシャフト６１は、図示しない支持部材により支持されると共に、第１ゲートシャフト５１と同様に、いわゆるワンウェイクラッチが組み込まれている。
【００８６】
第２ゲートシャフト６１における左右の中央、すなわちフィードローラ３２Ｃと対向する箇所には、第２ゲートローラ６２が貫通されている。第２ゲートローラ６２は、第１ゲートローラ５２と同様に円柱状に構成されており、その周側面に周方向に沿った１本の溝部６２Ｘが形成され、残された部分が２本の稜部６２Ｙとなっている（図５）。
【００８７】
第２ゲートローラ６２は、第１ゲートローラ５２と同様、２本の稜部５２Ｙをフィードローラ３２における２本の溝部３２Ｘとそれぞれ対向させる（図５）と共に、左右方向から見て第２ゲートローラ６２の外周円とフィードローラ３２の外周円とを一部オーバーラップさせている（図８）。
【００８８】
これによりフィードローラ３２及び第２ゲートローラ６２の間には、第１ゲートローラ５２の場合と同様、左右方向に沿ってフィードローラ３２側及び第２ゲートローラ６２側に交互に蛇行するような隙間が形成される。以下、フィードローラ３２及び第２ゲートローラ６２のうちこの隙間の周辺部分を第２ゲートＧ２と呼ぶ。
【００８９】
さらに分離部２５では、図８に示したように、フィードローラ３２の中心軸を表す中心点Ｐ３を基準として、フィードローラ３２における高摩擦部３２Ｒが設けられた範囲である角度θと比較して、第１ゲートローラ５２の中心軸を表す中心点Ｐ５と第２ゲートローラ６２の中心軸を表す中心点Ｐ６とのなす角度φが小さくなっている。例えば角度θは約１２０［°］であり、角度φは約３０［°］である。
【００９０】
因みに角度φは、フィードローラ３２の中心軸を表す中心点Ｐ３を基準として、第１ゲートＧ１と第２ゲートＧ２とのなす角度と見なすこともできる。
【００９１】
このように分離部２５は、フィードローラ３２及び第１ゲートローラ５２により第１ゲートＧ１を形成すると共に、当該フィードローラ３２及び第２ゲートローラ６２により第２ゲートＧ２を形成している。
【００９２】
［１−４．動作及び効果］
以上の構成において、第１の実施の形態による紙幣カセット１７は、紙幣ＢＬを内部へ収納する際、まず図９に示すように、ステージ２３をやや下方へ移動させることにより、既に当該ステージ２３上に集積されている集積紙幣ＢＬＳの最上面とピッカローラ３７との間隔を広げる。
【００９３】
また紙幣カセット１７は、分離部２５を放出モードで動作させることにより、フィードシャフト３１及びフィードローラ３２を矢印Ｒ１方向に回転させる。
【００９４】
そして分離部２５は、搬送部１３（図２）により紙幣ＢＬが搬送されてくると、搬送路Ｗ（図３）に沿って紙幣を下方ないし前方へ進行させ、当該紙幣ＢＬをフィードローラ３２及び第２ゲートローラ６２の間に挟持する。
【００９５】
このときフィードローラ３２は、矢印Ｒ１方向へ回転しているため、当接する紙幣ＢＬに対し摩擦により下方ないし前方へ進行する力を加える。また第２ゲートローラ６２は、紙幣ＢＬの進行に伴い、抵抗することなく矢印Ｒ２方向へ回転する。これにより分離部２５は、紙幣ＢＬに第２ゲートＧ２を通過させる。
【００９６】
続いて分離部２５は、第２ゲートＧ２を通過した紙幣ＢＬをフィードローラ３２及び第１ゲートローラ５２の間に挟持する。
【００９７】
このときフィードローラ３２は、矢印Ｒ１方向へ回転しているため、引き続き紙幣ＢＬに対し摩擦により下方ないし前方へ進行する力を加える。また第１ゲートローラ５２は、第２ゲートローラ６２の場合と同様、紙幣ＢＬの進行に伴い、抵抗することなく矢印Ｒ２方向へ回転する。これにより分離部２５は、紙幣ＢＬに第１ゲートＧ１も通過させる。
【００９８】
このとき紙幣ＢＬは第１ゲートＧ１から集積空間ＣＳ（図３）内へ放出され、ビルストッパ２６に衝突した後、ステージ２３上又は集積紙幣ＢＬＳ上に載置される。
【００９９】
一方、紙幣カセット１７は、内部に収納している紙幣ＢＬを外部へ繰り出す際、まず図１０に示すようにステージ２３を上方へ移動させることにより、集積紙幣ＢＬＳの最上面をピッカローラ３７に当接させる。
【０１００】
また紙幣カセット１７は、分離部２５を分離モードで動作させることにより、フィードシャフト３１、フィードローラ３２及びこれと連動するピッカローラ３７を矢印Ｒ２方向に回転させる。因みに第１ゲートローラ５２及び第２ゲートローラ６２は、矢印Ｒ１方向へは回転できないため、静止し続ける。
【０１０１】
このときステージ２３は、集積紙幣ＢＬＳの厚みに関して中央部分よりも左右の両端部分の方が大きくなる場合があるものの、当該ステージ２３の上面における中央部分が左右の両端部分よりも高められていることにより、ピッカローラ３７に対し集積紙幣ＢＬＳを積極的に押し付けることができる。
【０１０２】
分離部２５は、ピッカローラ３７の高摩擦部３７Ｒと集積紙幣ＢＬＳのうち最上面の紙幣ＢＬ１との間で摩擦力を作用させ、当該紙幣ＢＬ１に対し後方へ向かう力を加える。これにより紙幣ＢＬ１は、後方へ進行して第１ゲートＧ１へ進入しようとする。
【０１０３】
このとき集積紙幣ＢＬＳでは、最上面の紙幣ＢＬ１と上から２枚目の紙幣ＢＬとの間や、上から２枚目及び３枚目の紙幣ＢＬの間等、互いに隣接する紙幣ＢＬ同士の間においても比較的強い摩擦力が生じることがある。この場合、２枚目以下の紙幣ＢＬは、図１１に示すように、最上面の紙幣ＢＬ１に引っ張られるようにして、当該紙幣ＢＬ１と共に第１ゲートＧ１へ進入しようとする。
【０１０４】
第１ゲートＧ１は、上述したように、第１ゲートローラ５２における稜部５２Ｙの先端をフィードローラ３２の溝部３２Ｘに僅かに入り込ませているため（図５）、第１ゲートＧ１に進入してくる紙幣ＢＬを波打つように湾曲させる。さらに第１ゲートＧ１は、フィードローラ３２に対する第１ゲートローラ５２の位置が適切に調整され、両者の間に形成される隙間が１枚の紙幣ＢＬを通過させる場合に最適化されている。
【０１０５】
このため第１ゲートＧ１は、最上面の紙幣ＢＬ１を進入させる一方、静止している第１ゲートローラ５２により２枚目以下の紙幣ＢＬの進入を堰き止め、当該紙幣ＢＬ１のみを分離して搬送路Ｗに沿って進行させようとする。
【０１０６】
ここで図１１に示すように、最上面の紙幣ＢＬ１及び２枚目の紙幣ＢＬ２に着目し、フィードローラ３２と最上面の紙幣ＢＬ１との間に作用する摩擦力をＮ１とし、最上面の紙幣ＢＬ１と２枚目の紙幣ＢＬ２との間に作用する摩擦力をＮ２とし、２枚目の紙幣ＢＬ２と第１ゲートローラ５２との間に作用する摩擦力をＮ３とする。因みに図１１及び後述する図１２及び図１３では、説明の都合上、フィードローラ３２と第１ゲートローラ５２及び第２ゲートローラ６２との間を空けて配置している。
【０１０７】
分離部２５では、摩擦力Ｎ１が比較的大きいため、最上面の紙幣ＢＬ１を確実に第１ゲートＧ１へ進入させるものの、摩擦力Ｎ２及びＮ３の大小関係により、第１ゲートＧ１に進入する紙幣ＢＬの枚数が相違することになる。
【０１０８】
すなわち、摩擦力Ｎ３＞摩擦力Ｎ２である場合、分離部２５は、第１ゲートローラ５２により２枚目の紙幣ＢＬ２を堰き止めることができるため、最上面の紙幣ＢＬ１のみを進入させることができる。
【０１０９】
一方、静電気や湿度等の様々に変動する要因により摩擦力Ｎ２＞摩擦力Ｎ３である場合、分離部２５は、図１２に示すように、第１ゲートローラ５２により２枚目の紙幣ＢＬ２を堰き止めることができず、最上面の紙幣ＢＬ１及び２枚目の紙幣ＢＬ２を進入させてしまう。
【０１１０】
因みに第１ゲートＧ１は、紙幣ＢＬの厚さを考慮してフィードローラ３２と第１ゲートローラ５２との間隔が調整されているため、多くとも２枚の紙幣ＢＬを進入させるに止まり、３枚以上の紙幣ＢＬを進入させることがほぼ皆無となっている。すなわち３番目以下の紙幣ＢＬは、厚さの制約により第１ゲートローラ５２によって堰き止められることになる。
【０１１１】
第１ゲートＧ１を通過した最上面の紙幣ＢＬ１及び２枚目の紙幣ＢＬ２は、フィードローラ３２及びサブフィードローラ３３の回転に伴って後方ないし上方へ進行し、やがてその先端部分を第２ゲートＧ２に到達させる。このとき２枚目の紙幣ＢＬ２は、先端部分が第２ゲートＧ２近傍に到達したときにも、静止している第１ゲートローラ５２との間に摩擦力Ｎ３が作用し続けている。
【０１１２】
第２ゲートＧ２は、第１ゲートＧ１と同様、第２ゲートローラ６２における稜部６２Ｙの先端をフィードローラ３２の溝部３２Ｘに僅かに入り込ませているため、第２ゲートＧ２へ進入してくる紙幣ＢＬを波打つように湾曲させる。さらに第２ゲートＧ２は、おおむね１枚の紙幣ＢＬを通過させるよう、フィードローラ３２に対する第２ゲートローラ６２の位置が適切に調整され、両者の間に形成される隙間の大きさが最適化されている。
【０１１３】
このため第２ゲートＧ２は、最上面の紙幣ＢＬ２を進入させる一方、静止している第２ゲートローラ６２により２枚目の紙幣ＢＬ２の進入を堰き止め、当該紙幣ＢＬ１のみを分離して搬送路Ｗに沿って進行させようとする。
【０１１４】
ここで、２枚目の紙幣ＢＬ２と第２ゲートローラ６２との間に作用する摩擦力をＮ４とすると（図１２）、静止している第１ゲートローラ５２及び第２ゲートローラ６２と２枚目の紙幣ＢＬ２との間に作用する摩擦力は、（Ｎ３＋Ｎ４）となる。すなわち、このとき紙幣ＢＬ２に作用する摩擦力（Ｎ３＋Ｎ４）は、第１ゲートＧ１において作用していた摩擦力Ｎ３よりも大幅に高められる。
【０１１５】
このため分離部２５では、摩擦力Ｎ２＞摩擦力Ｎ３であったとしても、摩擦力Ｎ２＜摩擦力（Ｎ３＋Ｎ４）となる可能性が極めて高く、これにより第１ゲートローラ５２及び第２ゲートローラ６２の協働によって２枚目の紙幣ＢＬ２を堰き止めることができるため、最上面の紙幣ＢＬ１のみを進入させることができる。
【０１１６】
この結果、分離部２５は、最上面の紙幣ＢＬ１のみを２枚目以下の他の紙幣ＢＬから分離して、搬送路Ｗに沿って進行させることができ、当該紙幣ＢＬ１を搬送部１３（図２）に引き渡すことができる。
【０１１７】
因みにフィードローラ３２の高摩擦部３２Ｒは、摩擦力Ｎ１＞摩擦力（Ｎ３＋Ｎ４）となるように調整されている。このため分離部２５では、第１ゲートＧ１において最上面の紙幣ＢＬ１のみを分離できた場合に、第２ゲートＧ２に当該紙幣ＢＬ１のみが進入したとしても、フィードローラ３２により当該紙幣ＢＬ１を搬送路Ｗに沿って進行させ続けることができる。
【０１１８】
また分離部２５は、第１ゲートＧ１におけるフィードローラ３２（３２Ａ及び３２Ｂ））と第１ゲートローラ５２との間隔よりも、第２ゲートＧ２におけるフィードローラ３２（３２Ｃ）と第２ゲートローラ６２との間隔を広げるよう、各部の位置が調整されている。
【０１１９】
このため分離部２５は、摩擦力Ｎ４を、摩擦力Ｎ２＞摩擦力Ｎ３である場合に摩擦力Ｎ２＜摩擦力（Ｎ３＋Ｎ４）を満たすような最小限の値とすることができる。これにより分離部２５は、第１ゲートＧ１において最上面の紙幣ＢＬ１を１枚のみに分離できた場合に、第２ゲートＧ２において当該紙幣ＢＬ１に作用する摩擦力を極力小さく抑えることができ、当該紙幣ＢＬ１に加える負荷を最小限に止めることができる。
【０１２０】
また分離部２５は、第２ゲートＧ２においてフィードローラ３２Ｃと第２ゲートローラ６２との間に形成する隙間を、１枚分の紙幣ＢＬを通過させる場合に最適化している。
【０１２１】
このため分離部２５は、第２ゲートＧ２に最上面の紙幣ＢＬ１のみが進入されてきた場合には、第２ゲートローラ６２から当該紙幣ＢＬ１に対し比較的小さい摩擦力を作用させる。その一方で分離部２５は、紙幣ＢＬ１及び２枚目の紙幣ＢＬ２が進入されてきた場合には、両者を合計した厚みが１枚の紙幣ＢＬの厚みよりも大きいことから、これらをフィードローラ３２Ｃ及び第２ゲートローラ６２の間で大きく湾曲させ、両紙幣ＢＬの剛性を利用して比較的大きな摩擦力Ｎ４を作用させることになる。これにより分離部２５では、２枚目の紙幣ＢＬに対し積極的に摩擦力Ｎ４を作用させることができる。
【０１２２】
さらに分離部２５は、第２ゲートローラ６２を、第１ゲートローラ５２と同軸上ではなく、当該第１ゲートローラ５２よりも後方且つ上方に位置させることにより、分離モードにおいて搬送路Ｗに沿って進行する紙幣ＢＬが、第１ゲートＧ１を通過した後に第２ゲートＧ２に到達するようにした。
【０１２３】
これにより分離部２５は、すなわち第１ゲートＧ１に進入しようとする多数の紙幣ＢＬと同数の紙幣ＢＬではなく、第１ゲートＧ１を通過した僅かな紙幣ＢＬのみに対し、第２ゲートＧ２において摩擦力Ｎ４を作用させれば良いため、摩擦力Ｎ４を不用意に高める必要がない。
【０１２４】
以上の構成によれば、第１の実施の形態による紙幣カセット１７の分離部２５は、フィードローラ３２と第１ゲートローラ５２との間に第１ゲートＧ１を形成すると共に、フィードローラ３２と第２ゲートローラ６２との間に第２ゲートＧ２を形成した。これにより分離部２５は、第１ゲートＧ１において最上面の紙幣ＢＬ１と２枚目の紙幣ＢＬ２との間の摩擦力Ｎ２が大きいために両者を通過させてしまったとしても、２枚目の紙幣ＢＬ２に対し第１ゲートローラ５２により摩擦力Ｎ３を作用させたまま、第２ゲートＧ２において第２ゲートローラ６２によりさらに摩擦力Ｎ４を作用させることができるので、当該第２ゲートＧ２において２枚目の紙幣ＢＬ２の進入を阻止し、最上面の紙幣ＢＬ１のみに分離した状態で搬送することができる。
【０１２５】
［２．第２の実施の形態］
第２の実施の形態による紙幣カセット１１７（図３）は、第１の実施の形態による紙幣カセット１７と比較して、分離部２５に代わる分離部１２５を有する点が相違するものの、他の部分については同様に構成されている。
【０１２６】
分離部１２５は、図４〜図８とそれぞれ対応する図１４〜図１８に示すように、第１の実施の形態による分離部２５と比較して、フィードローラ３２、サブフィードローラ３３及び第２ゲートローラ６２に関する部分が相違するものの、他の部分については同様に構成されている。
【０１２７】
すなわち分離部１２５は、フィードローラ３２Ａ、３２Ｂ及び３２Ｃに代わるフィードローラ１３２Ａ及び１３２Ｂと、第２ゲートシャフト６１に代わる第２ゲートシャフト１６１と、第２ゲートローラ６２に代わる第２ゲートローラ１６２Ａ及び１６２Ｂとを有しており、またサブフィードローラ３３の個数が３個となっている。
【０１２８】
この第２の実施の形態においては、２個のフィードローラ１３２Ａ及び１３２Ｂがフィードシャフト３１に貫通されている。フィードローラ１３２Ａ及び１３２Ｂは、それぞれフィードシャフト３１の右側及び左側に位置している。
【０１２９】
なおフィードローラ１３２Ａ及び１３２Ｂは、いずれも同様に構成されている。説明の都合上、以下ではこのフィードローラ１３２Ａ及び１３２Ｂをまとめてフィードローラ１３２と呼ぶ。
【０１３０】
フィードローラ１３２は、第１の実施の形態におけるフィードローラ３２と比較して、中心軸を左右方向に向けた円柱状に構成される点及びその径がほぼ同等である一方、中心軸に沿った方向（すなわち左右方向）の長さが拡大されている。
【０１３１】
またフィードローラ１３２は、外周部分に形成される溝部１３２Ｘの数が３本に増加されており、これに伴って４本の稜部１３２Ｙが形成されている。このフィードローラ１３２は、３本の溝部１３２Ｘのうち外側の２本が第１ゲートローラ５２における２本の稜部５２Ｙとそれぞれ対向している。
【０１３２】
これによりフィードローラ１３２及び第１ゲートローラ５２の間には、第１の実施の形態と同様、左右方向に沿ってフィードローラ１３２側及び第１ゲートローラ５２側に交互に蛇行するような隙間が形成される。以下、フィードローラ１３２及び第１ゲートローラ５２のうちこの隙間の周辺部分を、この実施の形態における第１ゲートＧ１と呼ぶ。
【０１３３】
またこの第２の実施の形態では、フィードシャフト３１には、第１の実施の形態と同様に、左右のフィードローラ１３２の外方にそれぞれサブフィードローラ３３が貫通されると共に、左右のフィードローラ１３２の中間、すなわち当該フィードシャフト３１の中央にもサブフィードローラ３３が貫通されている。
【０１３４】
一方、第２ゲートシャフト１６１は、第１の実施の形態における第２ゲートシャフト６１と比較して、左右方向に延長されており、右側のフィードローラ１３２Ａにおける右端から左側のフィードローラ１３２Ｂにおける左端までの距離よりも僅かに短い程度となっている。
【０１３５】
第２ゲートローラ１６２Ａ及び１６２Ｂは、第１の実施の形態における第２ゲートローラ６２のうち２本の稜部６２Ｙをそれぞれ独立させたような形状となっている。すなわち第２ゲートローラ１６２Ａ及び１６２Ｂは、第１ゲートローラ５２と同程度の外径でなり、中心軸に沿った方向（すなわち左右方向）の長さが極めて短い扁平な円柱状に、若しくは円盤状に形成されている。
【０１３６】
なお第２ゲートローラ１６２Ａ及び１６２Ｂは、いずれも同様に構成されている。説明の都合上、以下ではこの第２ゲートローラ１６２Ａ及び１６２Ｂをまとめて第２ゲートローラ１６２と呼ぶ。
【０１３７】
第２ゲートローラ１６２は、フィードローラ１３２における３本の溝部１３２Ｘののうち最も内側の１本と対向しており（図１５）、また第１の実施の形態と同様、左右方向から見て第２ゲートローラ１６２の外周円とフィードローラ１３２の外周円とを一部オーバーラップさせている（図１８）。
【０１３８】
これによりフィードローラ１３２及び第２ゲートローラ１６２の間には、第１の実施の形態と同様、左右方向に沿ってフィードローラ１３２側及び第２ゲートローラ１６２側の間を一往復するような隙間が形成される。以下、フィードローラ１３２及び第２ゲートローラ１６２のうちこの隙間の周辺部分を、この実施の形態における第２ゲートＧ２と呼ぶ。
【０１３９】
このように第２の実施の形態による分離部１２５は、フィードローラ１３２及び第１ゲートローラ５２により第１ゲートＧ１を形成すると共に、当該フィードローラ１３２及び第２ゲートローラ１６２により第２ゲートＧ２を形成している。
【０１４０】
以上の構成において、第２の実施の形態による紙幣カセット１１７は、内部に収納している紙幣ＢＬを外部へ繰り出す際、第１の実施の形態と同様に分離部１２５を分離モードで動作させる。
【０１４１】
分離部１２５の第１ゲートＧ１は、集積紙幣ＢＬＳにおける最上面の紙幣ＢＬ１を進入させる一方、静止している第１ゲートローラ５２により２枚目以下の紙幣ＢＬの進入を堰き止め、当該紙幣ＢＬ１のみを分離して搬送路Ｗに沿って進行させようとする。
【０１４２】
第１ゲートＧ１は、摩擦力Ｎ３＞摩擦力Ｎ２である場合、第１の実施の形態において図１１に示したように、第１ゲートローラ５２により２枚目の紙幣ＢＬ２を堰き止めることができるため、最上面の紙幣ＢＬ１のみを進入させることができる。
【０１４３】
一方、静電気や湿度等の要因により摩擦力Ｎ２＞摩擦力Ｎ３である場合、第１ゲートＧ１は、第１の実施の形態において図１２に示したように、第１ゲートローラ５２により２枚目の紙幣ＢＬ２を堰き止めることができず、最上面の紙幣ＢＬ１及び２枚目の紙幣ＢＬ２を進入させてしまう。
【０１４４】
また第２ゲートＧ２は、最上面の紙幣ＢＬ２を進入させる一方、静止している第２ゲートローラ１６２により２枚目の紙幣ＢＬ２の進入を堰き止め、当該紙幣ＢＬ１のみを分離して搬送路Ｗに沿って進行させようとする。
【０１４５】
このとき第２ゲートＧ２では、第１の実施の形態と同様、摩擦力Ｎ２＞摩擦力Ｎ３であったとしても、摩擦力Ｎ２＜摩擦力（Ｎ３＋Ｎ４）となる可能性が極めて高く、これにより第１ゲートローラ５２及び第２ゲートローラ１６２によって２枚目の紙幣ＢＬ２を堰き止めることができるため、最上面の紙幣ＢＬ１のみを進入させることができる。
【０１４６】
この結果、分離部１２５は、第１の実施の形態と同様に、最上面の紙幣ＢＬ１のみを他の紙幣ＢＬから分離して、搬送路Ｗに沿って進行させることができ、当該紙幣ＢＬ１を搬送部１３（図２）に引き渡すことができる。
【０１４７】
その他の点においても、第２の実施の形態による分離部１２５は、第１の実施の形態による分離部２５と同様の作用効果を奏し得る。
【０１４８】
以上の構成によれば、第２の実施の形態による紙幣カセット１１７の分離部１２５は、フィードローラ１３２と第１ゲートローラ５２との間に第１ゲートＧ１を形成すると共に、フィードローラ１３２と第２ゲートローラ１６２との間に第２ゲートＧ２を形成した。これにより分離部１２５は、第１ゲートＧ１において最上面の紙幣ＢＬ１と２枚目の紙幣ＢＬ２との間の摩擦力Ｎ２が大きいために両者を通過させてしまったとしても、２枚目の紙幣ＢＬ２に対し第１ゲートローラ５２により摩擦力Ｎ３を作用させたまま、第２ゲートＧ２において第２ゲートローラ１６２によりさらに摩擦力Ｎ４を作用させることができるので、当該第２ゲートＧ２において２枚目の紙幣ＢＬ２の進入を阻止し、最上面の紙幣ＢＬ１のみに分離した状態で搬送することができる。
【０１４９】
［３．他の実施の形態］
なお上述した第１の実施の形態においては、フィードローラ３２の中心軸を表す中心点Ｐ３を基準として、高摩擦部３２Ｒが設けられた範囲である角度θを約１２０［°］、第１ゲートローラ５２の中心軸を表す中心点Ｐ５と第２ゲートローラ６２の中心軸を表す中心点Ｐ６とのなす角度φを約３０［°］とするようにした場合について述べた。
【０１５０】
しかしながら本発明はこれに限らず、例えば角度θを約９０［°］、角度φを約４５［°］とする等、角度θ≧角度φを満たす範囲で種々の角度としても良い。第２の実施の形態についても同様である。
【０１５１】
また上述した第１の実施の形態においては、第２ゲートＧ２において２枚目の紙幣ＢＬ２に作用させる摩擦力Ｎ４に対し第１ゲートＧ１において当該紙幣ＢＬ２に作用させる摩擦力Ｎ３を小さくする場合について述べた。
【０１５２】
しかしながら本発明はこれに限らず、摩擦力Ｎ３及び摩擦力Ｎ４をほぼ同等としても良く、或いは摩擦力Ｎ４を摩擦力Ｎ３よりも大きくしても良い。第２の実施の形態についても同様である。
【０１５３】
さらに上述した第１の実施の形態においては、フィードローラ３２に対する第１ゲートローラ５２及び第２ゲートローラ６２の位置、すなわち中心点同士の距離がそれぞれ適切に調整されることにより、摩擦力Ｎ３に対し摩擦力Ｎ４を小さくする場合について述べた。
【０１５４】
しかしながら本発明はこれに限らず、例えばフィードローラ３２における溝部３２Ｘの幅に対する第１ゲートローラ５２における稜部５２Ｙの幅と第２ゲートローラ６２における稜部６２Ｙの幅とをそれぞれ調整することにより、或いは第１ゲートローラ５２及び第２ゲートローラ６２をそれぞれ構成する樹脂材料又はゴム材料を相違させることにより、さらにはこれらを組み合わせることにより、摩擦力Ｎ３に対し摩擦力Ｎ４を小さくするようにしても良い。第２の実施の形態についても同様である。
【０１５５】
さらに上述した第１の実施の形態においては、フィードローラ３２の外周部分に２本の溝部３２Ｘを設け、第１ゲートローラ５２の外周部分及び第２ゲートローラ６２の外周部分にそれぞれ１本の溝部５２Ｘ及び６２Ｘを設けるようにした場合について述べた。
【０１５６】
しかしながら本発明はこれに限らず、フィードローラ３２の外周部分に任意数の溝部３２Ｘを設け、第１ゲートローラ５２の外周部分及び第２ゲートローラ６２の外周部分にそれぞれ任意数の溝部５２Ｘ及び６２Ｘを設けるようにしても良い。この場合、フィードローラ３２の溝部３２Ｘに対し第１ゲートローラ５２の稜部５２Ｙ又は第２ゲートローラ６２の稜部６２Ｙを対向させることができれば良い。第２の実施の形態についても同様である。
【０１５７】
さらに上述した第１の実施の形態においては、フィードローラ３２の溝部３２Ｘと第１ゲートローラ５２及び第２ゲートローラ６２の稜部５２Ｙ及び６２Ｙとをそれぞれ対向させ、フィードローラ３２の稜部３２Ｙと第１ゲートローラ５２及び第２ゲートローラ６２の溝部５２Ｘ及び６２Ｘとをそれぞれ対向させて、それぞれを当接させずに隙間を形成するようにした場合について述べた。
【０１５８】
しかしながら本発明はこれに限らず、例えばフィードローラ３２、第１ゲートローラ５２及び第２ゲートローラ６２の外周部分に溝部を形成せず、互いの外周面同士を当接又は対向させるようにしても良い。
【０１５９】
例えば図８と対応する図１９及び図５と対応する図２０に示すように、分離部２２５は、フィードローラ２３２、第１ゲートローラ２５２及び第２ゲートローラ２６２に溝部が形成されておらず、紙幣１枚に相当する隙間を空けて互いの外周面同士を対向させている。この分離部２２５においても、第１及び第２の実施の形態と同様、第１ゲートＧ１及び第２ゲートＧ２により紙幣ＢＬを１枚ずつに分離して搬送することができる。
【０１６０】
さらに上述した第１の実施の形態においては、分離部２５が搬送モード及び分離モードといった２種類の動作モードを有する場合に、第１ゲートローラ５２及び第２ゲートローラ６２をそれぞれ片方向のみに回転するローラとして構成した場合について述べた。
【０１６１】
しかしながら本発明はこれに限らず、例えば分離部２５が分離モードでのみ動作する場合に、第１ゲートローラ５２及び第２ゲートローラ６２に代えて、回転しない部材でなる第１ゲート部及び第２ゲート部をそれぞれ設けるようにしても良い。この場合、第１ゲート部及び第２ゲート部は、フィードローラ３２との間で第１の実施の形態と同様の蛇行するような隙間を形成できれば良い。第２の実施の形態についても同様である。
【０１６２】
さらに上述した実施の形態においては、フィードローラ３２との間に、第１ゲートＧ１を形成する第１ゲートローラ５２及び第２ゲートＧ２を形成する第２ゲートローラ６２を設け、搬送路Ｗ上に２段階のゲートを設けるようにした場合について述べた。
【０１６３】
しかしながら本発明はこれに限らず、例えばこれらに加えて、フィードローラ３２との間に第３ゲートＧ３を形成する第３ゲートローラを設ける等、搬送路Ｗ上に３段階以上のゲートを設けるようにしても良い。第２の実施の形態についても同様である。
【０１６４】
さらに上述した第１の実施の形態においては、集積空間ＣＳ内に紙幣ＢＬの紙面を水平方向に向けて集積し、分離部２５により最上面の紙幣ＢＬを１枚ずつ分離して繰り出すようにした場合について述べた。
【０１６５】
しかしながら本発明はこれに限らず、例えば集積空間ＣＳ内に紙幣ＢＬの紙面を鉛直方向に向けて集積し、分離部２５により集積方向の一端側から紙幣ＢＬを１枚ずつ分離して繰り出すようにしても良い。第２の実施の形態についても同様である。
【０１６６】
さらに上述した第１の実施の形態においては、搬送部１３から搬送される紙幣ＢＬを内部に集積して収納すると共に、内部に集積している紙幣ＢＬを１枚ずつ分離して繰り出す紙幣カセット１７に分離部２５を設ける場合について述べた。
【０１６７】
しかしながら本発明はこれに限らず、例えば入出金部１２等、少なくとも内部に集積している紙幣ＢＬを分離して繰り出す箇所に分離部２５を設けるようにしても良い。第２の実施の形態についても同様である。
【０１６８】
さらに上述した第１の実施の形態においては、顧客との間で現金に関する取引処理を行う現金自動預払機１において、媒体としての紙幣ＢＬを収納する紙幣カセット１７に本発明を適用するようにした場合について述べた。
【０１６９】
しかしながらこれに限らず、例えば金融機関等の窓口において窓口担当の職員に使用される紙幣処理装置（いわゆるテラーマシン）等、紙幣ＢＬを取り扱う種々の装置において、集積された紙幣ＢＬを１枚ずつ分離して繰り出す箇所に本発明を適用するようにしても良い。或いは、種々の金券や証券等、或いは切符や葉書等の種々の紙葉状の媒体を取り扱う種々の装置において、これらの媒体を集積した状態から１枚ずつに分離して繰り出す箇所に本発明を適用するようにしても良い。第２の実施の形態についても同様である。
【０１７０】
さらに上述した実施の形態においては、押付部としてのステージ２３と、操出部としてのピッカローラ３７と、フィードローラとしてのフィードローラ３２と、第１規制部としての第１ゲートローラ５２と、第２規制部としての第２ゲートローラ６２とによって媒体分離装置としての分離部２５を構成する場合について述べた。
【０１７１】
しかしながら本発明はこれに限らず、その他種々の構成でなる押付部と、操出部と、フィードローラと、第１規制部と、第２規制部とによって媒体分離装置を構成するようにしても良い。
【０１７２】
さらに上述した実施の形態においては、押付部としてのステージ２３と、操出部としてのピッカローラ３７と、フィードローラとしてのフィードローラ３２と、第１規制部としての第１ゲートローラ５２と、第２規制部としての第２ゲートローラ６２と、搬送部としての搬送部１３によって媒体処理装置としての紙幣入出金機１０を構成する場合について述べた。
【０１７３】
しかしながら本発明はこれに限らず、その他種々の構成でなる押付部と、操出部と、フィードローラと、第１規制部と、第２規制部と、搬送部とによって媒体処理装置を構成するようにしても良い。
【産業上の利用可能性】
【０１７４】
本発明は、集積された紙葉状の媒体を１枚ずつに分離する種々の装置でも利用できる。
【符号の説明】
【０１７５】
１……現金自動預払機、１０……紙幣入出金機、１３……搬送部、１７、１１７……紙幣カセット、２１……筐体、２１Ｓ……内部空間、２３……ステージ、２５、１２５……分離部、３２、３２Ａ、３２Ｂ、３２Ｃ、１３２、１３２Ａ、１３２Ｂ……フィードローラ、３２Ｒ……高摩擦部、３２Ｘ、５２Ｘ、６２Ｘ、１３２Ｘ……溝部、３２Ｙ、５２Ｙ、６２Ｙ、１３２Ｙ……稜部、３３……サブフィードローラ、３７……ピッカローラ、３７Ｒ……高摩擦部、５２、５２Ａ、５２Ｂ……第１ゲートローラ、５２Ｘ……溝部、５２Ｙ……稜部、６２、１６２、１６２Ａ、１６２Ｂ……第２ゲートローラ、ＢＬ……紙幣、ＢＬＳ……集積紙幣、Ｇ１……第１ゲート、Ｇ２……第２ゲート、Ｎ１、Ｎ２、Ｎ３、Ｎ４……摩擦力、ＳＣ……集積空間、Ｗ……搬送路。
【図１】
2014189367.tif 000003
【図２】
2014189367.tif 000004
【図３】
2014189367.tif 000005
【図４】
2014189367.tif 000006
【図５】
2014189367.tif 000007
【図６】
2014189367.tif 000008
【図７】
2014189367.tif 000009
【図８】
2014189367.tif 000010
【図９】
2014189367.tif 000011
【図１０】
2014189367.tif 000012
【図１１】
2014189367.tif 000013
【図１２】
2014189367.tif 000014
【図１３】
2014189367.tif 000015
【図１４】
2014189367.tif 000016
【図１５】
2014189367.tif 000017
【図１６】
2014189367.tif 000018
【図１７】
2014189367.tif 000019
【図１８】
2014189367.tif 000020
【図１９】
2014189367.tif 000021
【図２０】
2014189367.tif 000022
【図２１】
2014189367.tif 000023
【図２２】
2014189367.tif 000024
【図２３】
2014189367.tif 000025
【図２４】
2014189367.tif 000026
【図２５】
2014189367.tif 000027
【図２６】
2014189367.tif 000028
【図２７】
2014189367.tif 000029